(57)【要約】【課題】非接触ＩＣカード機能を備えた移動体通信装置において、移動体通信部の送信動作よりも非接触ＩＣカードの通信動作を優先することができ、移動体通信部の送信電力による非接触ＩＣカード通信の妨害を確実に防止できるようにする。【解決手段】制御回路４１から出力される送信電力増幅器オン信号６１と非接触ＩＣカード用機能処理チップ５２から出力される送信電力増幅器イネーブル信号６２によって開閉制御される論理積ゲート回路５３を設け、非接触ＩＣカード機能部５０が動作中であれば、イネーブル信号６２の出力を禁止して送信電力増幅器３１を動作不能状態とし、非接触ＩＣカード機能部５０が非動作中であれば、イネーブル信号６２を出力して送信電力増幅器３１を動作可能状態とする。【選択図】  図1
2006093913.tif 000002
【特許請求の範囲】
【請求項１】
移動体通信部のほか、外部機器であるカード処理装置との間で無線通信を行う非接触ＩＣカード機能部を備えた移動体通信装置であって、
非接触ＩＣカード機能部が動作中か否かを検出する検出手段と、
この検出手段によって非接触ＩＣカード機能部が動作中であることが検出された際に、移動体通信部が送信動作を禁止し、非接触ＩＣカード機能部の通信動作が終了したことが検出された際に、移動体通信部の禁止状態を解除する通信制御手段と、
を具備したことを特徴とする非接触ＩＣカード機能付き移動体通信装置。
【請求項２】
移動体通信部の送信動作は、基地局からの問い合わせ受信に対する応答動作であり、基地局からの問い合わせ受信時に非接触ＩＣカード機能部が動作中であることが検出された際に、前記通信制御手段は、非接触ＩＣカード機能部の通信動作が終了するまで前記応答動作を遅延させる、
ようにしたことを特徴とする請求項1記載の非接触ＩＣカード機能付き移動体通信装置。
【請求項３】
移動体通信部の通信継続中に非接触ＩＣカード機能部の動作開始が検出された際に、前記通信制御手段は、非接触ＩＣカード機能部の通信動作が終了するまで移動体通信部の送信動作を一時的に中断させる、
ようにしたことを特徴とする請求項1記載の非接触ＩＣカード機能付き移動体通信装置。
【請求項４】
前記通信制御手段は、非接触ＩＣカード機能部の動作開始が検出された際に、移動体通信部の送信動作を禁止し、非接触ＩＣカード機能部の動作開始されてから所定時間が経過した後に移動体通信部の禁止状態を解除する、
ようにしたことを特徴とする請求項1記載の非接触ＩＣカード機能付き移動体通信装置。
【請求項５】
コンピュータに対して、
非接触ＩＣカード機能部が動作中であることが検出された際に、移動体通信部が送信動作を禁止する機能と、
非接触ＩＣカード機能部の通信動作が終了したことが検出された際に、移動体通信部の禁止状態を解除する機能と、
を実現させるためのプログラム。
【発明の詳細な説明】
【技術分野】
【０００１】
この発明は、非接触ＩＣカード機能付き移動体通信装置およびプログラムに関する。
【背景技術】
【０００２】
近年、携帯電話装置は、その多機能化が益々進み、通話機能、メール機能以外の付加機能として、カメラ撮影機能、インターネット機能、録音機能などが装備されている。また、非接触ＩＣカードの技術進歩に伴って定期券の代わりとなる非接触ＩＣカード機能付き携帯電話装置が実用化され、また、プリペイドカードの代わりとなる携帯電話装置も実用化され始めている。この種の携帯電話装置としては、たとえば、非接触ＩＣカードによるゲート通過で携帯電話の動作モードを切り替えるようにした携帯電話機が知られている（特許文献１参照）。
【特許文献１】特開２００３−６９６７０号公報
【発明の開示】
【発明が解決しようとする課題】
【０００３】
上述した特許文献１の技術は、入場ゲート側の端末装置がマナーモードへの切り換え指示と共にタイマ時間を非接触ＩＣカード経由で携帯電話に送信すると、携帯電話は、この指示に応じてマナーモードに切り換えると共にタイム動作を開始し、その後のタイムアップ時にマナーモードを自動解除するようにしたものであり、携帯電話の動作モードを非接触ＩＣカードを介して自動的に切り替えることができるが、制御対象をマナーモードに特化した技術であり、非接触ＩＣカードの動作中でも携帯電話は通信可能な状態に保持されたままである。
【０００４】
ところで、非接触ＩＣカード機能を備えた携帯電話装置においては、非接触ＩＣカードと外部機器としてのカードリーダライタとの間で微弱電波によって無線通信を行うようにしているが、ＩＣカード通信時における電波強度は、携帯電話通信時の電波強度に比べて非常に低く、ＩＣカードの通信中に携帯電話が送信動作を開始すると、その電力がＩＣカード側のアンテナ、カードリーダライタ側のアンテナに誘導されてＩＣカード側の通信を妨害するおそれがある。つまり、一般に、ＩＣカード通信で使用される周波数帯は、13.56ＭＨｚであるのに対し、携帯電話の通信で使用される周波数帯は、800ＭＨｚであり、携帯電話通信時の送信電力は、ＣＤＭＡ(符号分割多重接続)方式であっても、0.2Ｗ程度となり、ＩＣカードの通信中に雑音、感度抑制を起こし、データ化けによる通信エラーを発生させる危険性があった。この場合、携帯電話側のアンテナとＩＣカード側のアンテナとが実装上、近接配置されている場合には、その危険性はさらに高くなるという問題があった。
【０００５】
この発明の課題は、非接触ＩＣカード機能を備えた移動体通信装置において、移動体通信部の送信動作よりもＩＣカード側の通信動作を優先させることができ、移動体通信部の送信電力に起因するＩＣカード側への通信妨害を確実に防止できるようにすることである。
【課題を解決するための手段】
【０００６】
請求項１記載の発明は、移動体通信部のほか、外部機器であるカード処理装置との間で無線通信を行う非接触ＩＣカード機能部を備えた移動体通信装置であって、非接触ＩＣカード機能部が動作中か否かを検出する検出手段と、この検出手段によって非接触ＩＣカード機能部が動作中であることが検出された際に、移動体通信部が送信動作を禁止し、非接触ＩＣカード機能部の通信動作が終了したことが検出された際に、移動体通信部の禁止状態を解除する通信制御手段とを具備したことを特徴とする。
さらに、コンピュータに対して、上述した請求項１記載の発明に示した主要機能を実現させるためのプログラムを提供する（請求項５記載の発明）。
【０００７】
なお、請求項１記載の発明は次のようなものであってもよい。
移動体通信部の送信動作は、基地局からの問い合わせ受信に対する応答動作であり、基地局からの問い合わせ受信時に非接触ＩＣカード機能部が動作中であることが検出された際に、前記通信制御手段は、非接触ＩＣカード機能部の通信動作が終了するまで前記応答動作を遅延させる（請求項２記載の発明）。
【０００８】
移動体通信部の通信継続中に非接触ＩＣカード機能部の動作開始が検出された際に、前記通信制御手段は、非接触ＩＣカード機能部の通信動作が終了するまで移動体通信部の送信動作を一時的に中断させる（請求項３記載の発明）。
【０００９】
前記通信制御手段は、非接触ＩＣカード機能部の動作開始が検出された際に、移動体通信部の送信動作を禁止し、非接触ＩＣカード機能部の動作開始されてから所定時間が経過した後に移動体通信部の禁止状態を解除する（請求項４記載の発明）。
【発明の効果】
【００１０】
請求項１記載の発明によれば、非接触ＩＣカード機能部が動作中か否かを検出し、非接触ＩＣカード機能部が動作中であれば、移動体通信部が送信動作を禁止し、非接触ＩＣカード機能部の通信動作が終了した際に、移動体通信部の禁止状態を解除するようにしたから、移動体通信部の送信動作よりもＩＣカード側の通信動作を優先させることができ、移動体通信部の送信電力に起因するＩＣカード側への通信妨害を確実に防止することが可能となる。したがって、移動体通信部側のアンテナとＩＣカード側のアンテナとが近接配置されていても、ＩＣカード側の通信動作を保障することが可能となるほか、アンテナの実装上の制限がなくなり、自由度を増すことができる。
なお、一般的に、非接触ＩＣカードの通信動作は、短時間(１秒未満)で完結するため、その間だけ移動体通信部の送信動作を一時保留したとしても、その通信状態が切断されることはなく、１秒未満の通信不能であれば、瞬時の電波障害と等価であって大きな悪影響を及ぼすこともないため、非接触ＩＣカードの正常動作を保障するという実情に即した運用が可能となる。
【００１１】
請求項２記載の発明によれば、上述した請求項１記載の発明と同様の効果を有する他、移動体通信部の送信動作は、基地局からの問い合わせ受信に対する応答動作であり、基地局からの問い合わせ受信時に非接触ＩＣカード機能部が動作中であることが検出された際に、非接触ＩＣカード機能部の通信動作が終了するまで基地局に対する応答動作を遅延させるようにしたから、現在の通話ゾーンから外れて新たな通話ゾーンに移動する毎に実行される位置登録処理あるいは着信指示を検出する毎に実行される着信処理などにおいて、その応答動作をソフトウエア制御で遅延させることが可能となる。
【００１２】
請求項３記載の発明によれば、上述した請求項１記載の発明と同様の効果を有する他、移動体通信部の通信継続中に非接触ＩＣカード機能部の動作開始が検出された際に、非接触ＩＣカード機能部の通信動作が終了するまで移動体通信部の送信動作を一時的に中断させるようにしたから、たとえば、通話継続中にその通話送信動作を一時的に中断させても音声の途切れは瞬間的であり、大きな支障とはならない。
【００１３】
請求項４記載の発明によれば、上述した請求項１記載の発明と同様の効果を有する他、非接触ＩＣカード機能部の動作開始が検出された際に、移動体通信部の送信動作を禁止し、非接触ＩＣカード機能部の動作開始されてから所定時間が経過した後に移動体通信部の禁止状態を解除するようにしたから、ハードあるいはソフト的なタイマ制御が可能となる。この場合、非接触ＩＣカードの通信動作は、上述したように所定時間(１秒未満)で完結するため、非接触ＩＣカード機能部の動作開始時にタイマをクリアスタートさせればよく、移動体通信部の禁止状態は、そのタイムアップ時に解除することができる。
【発明を実施するための最良の形態】
【００１４】
（実施例１）
以下、図１を参照して本発明の第１実施例を説明する。
図１は、この実施例における移動体通信装置(携帯電話装置)の基本的な構成要素を示したブロック図である。
この携帯電話装置は、通話機能、メール機能以外の付加機能として、カメラ撮影機能、インターネット機能、録音機能、非接触ＩＣカード機能などが装備されているが、図１は、携帯電話通信部１０と非接触ＩＣカード機能部５０の構成を示した図である。
携帯電話通信部１０において、送受信アンテナ１１に接続された送受信デュプレクサ１２は、受信側に下りリンク周波数帯域をカバーする帯域フィルタと送信側に上りリンク周波数帯域をカバーする帯域フィルタを有する構成で、この受信側から出力される受信信号は、受信低雑音増幅器２１で所要の電力まで増幅された後、受信ミクサ２２で受信ベースバンド信号に復調される。なお、この受信ミクサ２２には、受信ローカル信号を生成するための受信ローカル発振器２３が接続されており、この受信ローカル発振器２３は、制御回路４１によってその発振周波数が制御される。
【００１５】
受信ミクサ２２で復調された受信ベースバンド信号は、受信低域フィルタ２４で帯域制限をかけられた後に、Ａ／Ｄコンバータ２５に与えられて、アナログ信号からデジタル信号に変換される。この場合、Ａ／Ｄコンバータ２５が適切なダイナミックレンジで動作するように、受信低雑音増幅器２１には利得を調整するための受信ＡＧＣ(Auto Gain Control)が備えられている。このＡ／Ｄコンバータ２５でデジタル変換された受信ベースバンド信号は、復号化回路２６に送られて、制御信号と受信データとが復号化される。この受信データは、必要に応じて制御回路４１で加工された後にレシーバ２７から音声出力されたり、表示器４４から表示出力される。
【００１６】
一方、入力キー４３からの入力データあるいはマイクロフォン３７からの入力音声に基づいて生成された送信データは、必要に応じて制御回路４１で加工された後に符号化回路３６で送信ベースバンド信号に符号化される。この送信ベースバンド信号は、Ｄ／Ａコンバータ３５でデジタル信号からアナログ信号に変換された後、送信低域フィルタ３４で帯域制限がかけられる。さらには、送信ミクサ３２で送信信号に変調された後に送信電力増幅器３１で所要の電力まで増幅されて、送受信デュプレクサ１２の送信側に与えられ、アンテナ１１から発信出力される。なお、送信ミクサ３２には、送信ローカル信号を生成するための送信ローカル発振器３３が接続されており、この送信ローカル発振器３３は、制御回路４１によってその発振周波数が制御される。また、送信信号が所要の電力となるように、送信電力増幅器３１の利得は、制御回路４１によって制御されている。
【００１７】
このように構成された携帯電話通信部１０は、標準的なデジタル通信方式のものであるが、これに限定されることなく、他の方式に変更することも可能である。
制御回路４１は、たとえば、マイクロプロセッサ等によって構成されていて、記憶回路４２に記憶された実行プログラムによって携帯電話装置の全体動作を制御する。なお、実行プログラムは、記憶回路４２に予め記憶されているものに限らず、ユーザが新たにインストールあるいはバージョンアップしたものであってもよい。また、記憶回路４２は、ＲＯＭ(Read Only Memory)、ＲＡＭ(Random Access Memory)で構成され、実行プログラムのほかに、ユーザ情報、ユーザデータ等の様々なデータを記憶することができる。
【００１８】
非接触ＩＣカード機能部５０は、非接触ＩＣカードが持つ基本的な機能として、非接触ＩＣカード用アンテナ５１と非接触ＩＣカード用機能処理チップ５２を有する構成で、たとえば、プリペイドカードとして利用する場合には、前払い金額(カード残高)が記録されており、外部機器としてのＩＣカードリーダーライタ(図示せず)からの受信電波を検出すると、カード残高が読み出されてアンテナ部５１から発信出力される。この場合、ＩＣカードリーダーライタは、カード残金を受信取得し、このカード残高から請求金額が減算された新たなカード残高を発信出力させて非接触ＩＣカード機能部５０に書き込ませる。なお、アンテナ部１１４Ｃからの受信電波によって誘起される起電力を非接触ＩＣカード機能部５０の動作電力として利用してもよいが、携帯電話装置側の電源部から非接触ＩＣカード機能部５０の動作電力を得るようにしてもよい。
【００１９】
このように非接触ＩＣカード機能を備えた携帯電話装置において、上述したように、非接触ＩＣカード機能部５０の通信中おいて、携帯電話通信部１０が送信動作を行うと、その送信電力が非接触ＩＣカードのアンテナ、カードリーダライタのアンテナに誘導されて非接触ＩＣカードの通信を妨害するおそれがあるため、この実施例においては、非接触ＩＣカード機能部５０の通信動作中には、携帯電話通信部１０の送信動作を一時保留するようにしている。この場合、携帯電話通信部１０側に論理積ゲート回路５３を設け、この論理積ゲート回路５３の出力信号によって送信電力増幅器３１の動作をオン／オフ制御するようにしている。
【００２０】
この場合、論理積ゲート回路５３は、制御回路４１および非接触ＩＣカード用機能処理チップ５２から出力されるゲート制御信号６１、６２によって開閉制御されるもので、非接触ＩＣカード用機能処理チップ５２は、非接触ＩＣカード機能部５０の通信動作が行われていない非動作期間中に携帯電話通信部１０の送信動作を許可するための送信電力増幅器イネーブル信号６２を出力し、制御回路４１は、携帯電話通信部１０の送信動作時に送信電力増幅器３１を動作させるための送信電力増幅器オン信号６１を出力する。
【００２１】
いま、携帯電話通信部１０の送信動作時に送信電力増幅器３１を動作させるためのオン信号(ハイレベル信号)６１が制御回路４１から出力されている状態において、非接触ＩＣカード機能部５０が非動作期間中であれば、非接触ＩＣカード用機能処理チップ５２は、イネーブル信号(ハイレベル信号)６２を出力して論理積ゲート回路５３に与える。この結果、論理積ゲート回路５３がゲートオンされて送信電力増幅器３１にオン信号を与えるため、送信電力増幅器３１は動作可能状態となる。一方、非接触ＩＣカード機能部５０が動作中であれば、非接触ＩＣカード用機能処理チップ５２は、イネーブル信号６２の出力を禁止するため、その出力はローレベルとなる。したがって、制御回路４１からオン信号６１が出力されていても、論理積ゲート回路５３はゲートオフされるため、送信電力増幅器３１は動作不能状態となる。
【００２２】
以上のように、この第１実施例においては、制御回路４１から出力される送信電力増幅器オン信号６１と非接触ＩＣカード用機能処理チップ５２から出力される送信電力増幅器イネーブル信号６２によって開閉制御される論理積ゲート回路５３を設け、非接触ＩＣカード機能部５０が動作中であれば、イネーブル信号６２の出力を禁止して送信電力増幅器３１を動作不能状態とし、非接触ＩＣカード機能部５０が非動作中であれば、イネーブル信号６２を出力して送信電力増幅器３１を動作可能状態としたから、携帯電話通信部１０の送信動作よりも非接触ＩＣカード機能部５０の通信動作を優先することができ、携帯電話通信部１０の送信電力に起因するＩＣカード機能部５０への通信妨害を確実に防止することが可能となる。この場合、携帯電話通信部１０側のアンテナとＩＣカード機能部５０側のアンテナとが近接配置されていても、ＩＣカード側の通信動作を保障することが可能となるほか、アンテナの実装上の制限がなくなり、自由度を増すことができる。
【００２３】
なお、一般的に、非接触ＩＣカードの通信動作は、短時間(１秒未満)で完結するため、その間だけ携帯電話通信部１０の送信動作を一時保留したとしても、その通信状態が切断されることはなく、１秒未満の通信不能であれば、瞬時の電波障害と等価であって大きな悪影響を及ぼすこともないため、非接触ＩＣカードの正常動作を保障するという実情に即した運用が可能となる。さらに、携帯電話通信部１０に論理積ゲート回路５３を設けるという簡単な回路を追加するだけで、制御回路４１に負担をかけることなく、非接触ＩＣカードの正常動作を保障することが可能となる。
（実施例２）
【００２４】
以下、この発明の第２実施例について図２および図３を参照して説明する。
なお、上述した第１実施例においては、携帯電話通信部１０側に論理積ゲート回路５３を設けるというハードウェア機能を用いて課題を解決するようにしたが、この第２実施例においては、ソフトウェア機能を用いて課題を解決するようにしたものである。したがって、第２実施例では、論理積ゲート回路５３と、非接触ＩＣカード用機能処理チップ５２側におけるイネーブル信号６２の出力機能は不要となる。
ここで、両実施例において基本的あるいは名称的に同一のものは、同一符号を付して示し、その説明を省略すると共に、以下、第２実施例の特徴部分を中心に説明するものとする。
【００２５】
ここで、第２実施例において、非接触ＩＣカード用機能処理チップ５２は、非接触ＩＣカード機能部５０が非動作期間中か、動作期間中かを認識して非接触ＩＣカード用インターフェース信号６３を出力し、制御回路４１に与えるようにしている。この非接触ＩＣカード用インターフェース信号６３は、非接触ＩＣカード機能部５０が非動作期間中のときには、ローレベルの信号となり、動作期間中のときには、ハイレベルの信号となるもので、制御回路４１は、インターフェース信号６３を監視しながら非接触ＩＣカード機能部５０が非動作中か、動作中かを判別するようにしている。なお、送信電力増幅器３１を動作させるためのオン信号６１は、送信電力増幅器３１に対して直接入力するようにしている。
【００２６】
図２は、電源投入に伴って実行開始される携帯電話の全体動作の概要を示したフローチャートである。
先ず、制御回路４１は、記憶回路４２に記憶されているプログラムによって図２の全体動作を制御し、電源投入待ち状態において(ステップＡ１)、電源オン操作が行われると、装置全体の初期化処理を実行し(ステップＡ２)、これによって動作の準備が整うと、現在のエリア(通話ゾーン)の確認を行い、その結果、前回のエリアから外れて新たなエリアに移動したことが検出されると(ステップＡ３でＹＥＳ)、現在位置を受信取得して登録する位置登録処理を実行する(ステップＡ４)。また、発信操作の有無をチェックし(ステップＡ５)、発信操作が行われた場合には、発信処理を実行し(ステップＡ６)、また、基地局からの着信有無を確認し、着信を検出すると(ステップＡ７でＹＥＳ)、着信処理を実行する(ステップＡ８)。このような処理は電源がオフされるまで(ステップＡ９でＹＥＳ)、上述のステップＡ３に戻って繰り返される。
【００２７】
ここで、携帯電話通信部１０と基地局との間で通信が行われるのは、上述した位置登録処理(ステップＡ４)、発信処理(ステップＡ６)、着信処理(ステップＡ８)であり、各処理では、基地局からレスポンスを要求するためのメッセージを受信し、これに応答して基地局に対してレスポンスを送信するというプロセスが含まれているが、この部分をサブルーチンとして共通化すると、図３のフローチャートとなる。
図３は、非接触ＩＣカード機能部５０の動作中に基地局に対するレスポンス送信を遅延させる場合の動作を示したフローチャートである。
【００２８】
先ず、制御回路４１は、基地局からレスポンスを要求するためのメッセージを受信すると(ステップＢ１)、非接触ＩＣカード用機能処理チップ５２から出力されるインターフェース信号６３に基づいて非接触ＩＣカード機能部５０が非動作状態か、動作状態かを判別する(ステップＢ２)。ここで、インターフェース信号６３がローレベル信号であれば(ステップＢ２でＮＯ)、非接触ＩＣカード機能部５０は非通信状態であるため、制御回路４１は、メッセージ受信に応答して基地局に対してレスポンス送信を行うが(ステップＢ３)、インターフェース信号６３がハイレベル信号であれば、非接触ＩＣカード機能部５０は通信状態であるため(ステップＢ２でＹＥＳ)、制御回路４１は、非接触ＩＣカード機能部５０の通信動作が完了するまで待機状態となる。その後、非接触ＩＣカード機能部５０の通信動作が完了し、インターフェース信号６３がローレベルに変化した時点において基地局に対してレスポンス送信が行われる(ステップＢ３)。
【００２９】
以上のように、この第２実施例によれば、位置登録処理、発信処理、着信処理の実行時に、基地局からレスポンスを要求するためのメッセージ受信に応答して基地局に対してレスポンスを送信する際に、非接触ＩＣカード用機能処理チップ５２から出力されるインターフェース信号６３に基づいて非接触ＩＣカード機能部５０が動作中か否かを判別し、動作中であれば、その動作が完了するまで基地局に対するレスポンス送信を遅延させるようにしたから、上述した第１実施例と同様の効果をソフトウエア制御によって実現することができる。
【００３０】
なお、上述した第２実施例においては、基地局からメッセージ受信時に非接触ＩＣカード機能部５０が動作中か否かを判別するようにしたが、ＩＳ−９５方式の通信規格においては、アクセスアテンプトの開始時にその判別を行い、非接触ＩＣカード機能部５０が動作中であれば、アクセスプローブ送信のタイミングを遅延させるようにしてもよい。すなわち、基地局に対してレスポンスを送信する当たっては、事前に通信回線を開設するためにアクセスアテンプトという処理が行われるが、アクセスプローブ送信が一連のアクセスプローブシーケンスの中で実行される。このシーケンスの中でアクセスプローブ送信のタイミングを非接触ＩＣカード機能部５０が動作中か否かに応じて制御するようにしてもよい。
【００３１】
図４は、第２実施例における他の具体例で、アクセスプローブ送信のタイミングを遅延する場合の動作を説明するためのフローチャートである。この場合、ＩＳ−９５方式の通信規格に規定されている送信開始手順を例にしている。
先ず、制御回路４１は、基地局にレスポンスを送信する前におけるアクセスアテンプトの開始時において、非接触ＩＣカード用機能処理チップ５２から出力されるインターフェース信号６３に基づいて非接触ＩＣカード機能部５０が非動作状態であるか、動作状態であるかを判別する(ステップＣ１)。
【００３２】
ここで、インターフェース信号６３がローレベル信号であれば(ステップＣ１でＮＯ)、非接触ＩＣカード機能部５０は非通信状態であるため、制御回路４１は、基地局に対してアクセスプローブ送信を行うが(ステップＣ２)、インターフェース信号６３がハイレベル信号であれば、非接触ＩＣカード機能部５０は通信状態であるため(ステップＣ１でＹＥＳ)、制御回路４１は、非接触ＩＣカード機能部５０の通信動作が完了するまで待機状態となる。その後、非接触ＩＣカード機能部５０の通信動作が完了し、インターフェース信号６３がローレベルに変化した時点で基地局に対してアクセスプローブ送信を行う(ステップＣ２)。以下、ステップＣ３でアクセスプローブシーケンスの終了が検出されるまでステップＣ１に戻って上述の動作が繰り返される。
【００３３】
また、上述した第1および第２実施例においては、非接触ＩＣカード機能部５０が動作している通信期間中に、携帯電話通信部１０と基地局との通信をハード的あるいはソフト的に制限するようにしたが、携帯電話通信部１０の通信継続中において非接触ＩＣカード機能部５０が動作し始めた場合でも同様に適用可能である。すなわち、携帯電話通信部１０がトラヒックチャネルで通信をしているときに、非接触ＩＣカード機能部５０が動作を開始しようとする場合も考えられる。
【００３４】
ここで、制御回路４１は、送信電力増幅器３１を動作させるためのオン信号６１を送信電力増幅器３１に対して直接入力している状態において、非接触ＩＣカード用機能処理チップ５２から出力されるインターフェース信号６３を監視し、非接触ＩＣカード機能部５０が動作を開始したことを検出した時点で、送信電力増幅器３１へのオン信号６１を強制的にオフすることによって送信動作を中断するようにすれば、携帯電話通信部１０の送信動作を一時的に中断させることができる。この場合、非接触ＩＣカード機能部５０の動作が完了した時点で携帯電話通信部１０の送信動作を再開させればよい。なお、音声通信の場合に、通話継続中にその通話送信動作を一時的に中断させても音声の途切れは瞬間的であり、大きな支障とはならない。
【００３５】
また、携帯電話通信部１０の通信継続中において非接触ＩＣカード機能部５０が動作し始めた場合において、非接触ＩＣカード用機能処理チップ５２から出力されるインターフェース信号６３がローレベルからハイレベルに変化した時点、つまり、非接触ＩＣカード機能部５０が動作を開始した時点でクリアスタートされる減算タイマを設け、携帯電話通信部１０の送信動作を中断させた後のタイマアップ時に、携帯電話通信部１０の送信動作を再開させるようにしてもよい。なお、タイマは、加算タイマであっても、ソフト的あるいはハード的なタイマであってもよい。
【００３６】
その他、非接触ＩＣカードは、鉄道、バスの利用時の乗車券、買い物時にプリペイドカードとして利用するほか、クレジットカードとして利用したり、入出場管理用としての電子チケットとして利用してもよく、その利用形態を制限されないことは勿論である。
また、非接触ＩＣカードは、アンテナからの受信電波によって誘起される起電力を非接触ＩＣカードの動作電力として利用してもよいが、携帯電話側の電源部から非接触ＩＣカードの動作電力を得るようにしてもよい。さらには、非接触ＩＣカード側に専用ＣＰＵを設けてもよい。
【００３７】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、非接触ＩＣカード機能部が動作中であることが検出された際に、移動体通信部が送信動作を禁止する機能と、非接触ＩＣカード機能部の通信動作が終了したことが検出された際に、移動体通信部の禁止状態を解除する機能とを実現させるためのプログラムを記録したコンピュータが読み取り可能な記録媒体を提供するようにしてもよい。
【図面の簡単な説明】
【００３８】
【図１】移動体通信装置(携帯電話装置)の基本的な構成要素を示したブロック図。
【図２】第２実施例において、電源投入に伴って実行開始される携帯電話の全体動作の概要を示したフローチャート。
【図３】第２実施例において、非接触ＩＣカード機能部５０の動作中に基地局に対するレスポンス送信を遅延させる場合の動作を示したフローチャート。
【図４】第２実施例における他の具体例を示し、アクセスプローブ送信のタイミングを遅延する場合の動作を説明するためのフローチャート。
【符号の説明】
【００３９】
１０  携帯電話通信部
１１  送受信アンテナ
１２  送受信デュプレクサ
３１  送信電力増幅器
４１  制御回路
５０  非接触ＩＣカード機能部
５１  非接触ＩＣカード用アンテナ
５２  非接触ＩＣカード用機能処理チップ
５３  論理積ゲート回路
６１  送信電力増幅器オン信号
６２  送信電力増幅器イネーブル信号
６３  非接触ＩＣカード用インターフェース信号
【図１】
2006093913.tif 000003
【図２】
2006093913.tif 000004
【図３】
2006093913.tif 000005
【図４】
2006093913.tif 000006